(57)【要約】【課題】特に基地局間におけるデジタル化した光信号の転送時に周波数特性の変動を抑制することにより、元の情報品質を極力同一に維持する。【解決手段】  一の基地局３ａにおいて、局部発振信号を発振し、一の通信端末４ａから受信した無線信号を局部発振信号と混合して中間周波数信号を生成し、その中間周波数信号をＡＤ変換し、更に電気−光変換することにより生成された光信号に対して局部発振信号を重畳させ、これを光通信ネットワーク８を介して他の基地局３ｂへ送信し、他の基地局３ｂでは、受信した光信号を２つに分岐させ、分岐させた一方の光信号から、局部発振信号の周波数を抽出し、分岐させた他方の光信号を光−電気変換し、さらにＤＡ変換することにより生成した電気信号に対して、抽出した周波数の信号を混合して出力信号を得て、これを増幅して他の通信端末４ｂへ送信する。【選択図】図２
2010161674.tif 000002
【特許請求の範囲】
【請求項１】
異なる２領域間における無線信号の送受信を光通信ネットワークに接続された複数の基地局を介して実行する無線通信システムにおいて、
一の基地局は、
局部発振信号を発振する局部発振手段と、
一の領域から受信した無線信号を上記局部発振手段により発振された局部発振信号と混合して中間周波数信号を生成するダウンコンバート手段と、
上記中間周波数信号をＡＤ変換し、更に電気−光変換することにより生成された光信号に対して、上記局部発振手段により発振された局部発振信号を重畳させ、これを上記光通信ネットワークを介して他の基地局へ送信する重畳手段とを備え、
上記他の基地局は、
上記光通信ネットワークを介して受信した上記光信号を２つに分岐させる光分岐手段と、
上記光分岐手段により分岐された一方の光信号から、上記重畳された局部発振信号の周波数を抽出する周波数抽出手段と、
上記光分岐手段により分岐された他方の光信号を光−電気変換し、さらにＤＡ変換することにより生成された電気信号に対して上記周波数抽出手段により抽出された周波数の信号を混合するアップコンバート手段と、
上記アップコンバート手段の出力信号を送信可能な電力まで増幅して他の領域へ無線送信する送信出力手段とを備えること
を特徴とする無線通信システム。
【請求項２】
上記一の基地局は、上記局部発振手段により発振された上記局部発振信号を分周又は逓倍した周波数信号とし、これをクロック信号として上記中間周波数信号をＡＤ変換するＡＤ変換手段を更に備え、
上記他の基地局は、上記周波数抽出手段により抽出された周波数を上記ＡＤ変換手段における分周率又は逓倍率に対応させて分周又は逓倍させ、これをクロック信号として、上記光分岐手段により分岐された他方の光信号をＤＡ変換するＤＡ変換手段を更に備えること
を特徴とする請求項１記載の無線通信システム。
【請求項３】
上記一の基地局は、上記ＡＤ変換された中間周波数信号について、上記局部発振手段により発振された上記局部発振信号を分周又は逓倍した周波数信号とし、これをクロック信号として誤り訂正符号化処理及び／又はパケット化処理を行う第１のデジタル信号処理手段を更に備え、
上記他の基地局は、上記周波数抽出手段により抽出された周波数をデジタル信号処理手段における分周率又は逓倍率に対応させて分周又は逓倍させ、これをクロック信号として、上記光分岐手段により分岐された他方の光信号を誤り訂正復号化処理及び／又はパケットの実データから情報データを抽出する処理を行う第２のデジタル信号処理手段を更に備えること
を特徴とする請求項１又は２記載の無線通信システム。
【請求項４】
上記一の基地局は、上記ＡＤ変換された中間周波数信号を電気−光変換する際に、上記局部発振手段により発振された上記局部発振信号を分周又は逓倍した周波数信号をクロック信号として使用する電光変換手段を更に備え、
上記他の基地局は、上記周波数抽出手段により抽出された周波数をデジタル信号処理手段における分周率又は逓倍率に対応させて分周又は逓倍させ、これをクロック信号として、上記光分岐手段により分岐された他方の光信号を光−電気変換する光電変換手段を更に備えること
を特徴とする請求項１〜３記載のうち何れか１項記載の無線通信システム。
【請求項５】
上記いずれかの基地局は、人工衛星又は航空機に搭載されていること
を特徴とする請求項１〜４記載のうち何れか１項記載の無線通信システム。
【請求項６】
異なる２領域間における無線信号の送受信を光通信ネットワークに接続された複数の基地局を介して実行する無線通信方法において、
一の基地局では、
局部発振信号を発振する局部発振ステップと、
一の領域から受信した無線信号を上記局部発振ステップにおいて発振させた局部発振信号と混合して中間周波数信号を生成するダウンコンバートステップと、
上記中間周波数信号をＡＤ変換し、更に電気−光変換することにより生成された光信号に対して、上記局部発振ステップにおいて発振させた局部発振信号を重畳させ、これを上記光通信ネットワークを介して他の基地局へ送信する重畳ステップとを有し、
上記他の基地局では、
上記光通信ネットワークを介して受信した上記光信号を２つに分岐させる光分岐ステップと、
上記光分岐ステップにおいて分岐させた一方の光信号から、上記重畳された局部発振信号の周波数を抽出する周波数抽出ステップと、
上記光分岐ステップにおいて分岐させた他方の光信号を光−電気変換し、さらにＤＡ変換することにより生成した電気信号に対して上記周波数抽出ステップにおいて抽出した周波数の信号を混合して出力信号を得るアップコンバートステップと、
上記アップコンバートステップより得られた出力信号を送信可能な電力まで増幅して他の領域へ無線送信する送信出力ステップとを有すること
を特徴とする無線通信方法。
【請求項７】
上記一の基地局では、上記局部発振ステップにおいて発振させた上記局部発振信号を分周又は逓倍した周波数信号とし、これをクロック信号として上記中間周波数信号をＡＤ変換するＡＤ変換ステップを更に有し、
上記他の基地局では、上記周波数抽出ステップにおいて抽出した周波数を上記ＡＤ変換ステップにおける分周率又は逓倍率に対応させて分周又は逓倍させ、これをクロック信号として、上記光分岐ステップにおいて分岐させた他方の光信号をＤＡ変換するＤＡ変換ステップを更に有すること
を特徴とする請求項６記載の無線通信方法。
【請求項８】
上記一の基地局では、上記ＡＤ変換した中間周波数信号について、上記局部発振ステップにおいて発振させた上記局部発振信号を分周又は逓倍した周波数信号とし、これをクロック信号として誤り訂正符号化処理及び／又はパケット化処理を行う第１のデジタル信号処理ステップを更に有し、
上記他の基地局では、上記周波数抽出ステップにおいて抽出した周波数をデジタル信号処理ステップにおける分周率又は逓倍率に対応させて分周又は逓倍させ、これをクロック信号として、上記光分岐ステップにおいて分岐させた他方の光信号を誤り訂正復号化処理及び／又はパケットの実データから情報データを抽出する処理を行う第２のデジタル信号処理ステップを更に有すること
を特徴とする請求項６又は７記載の無線通信方法。
【請求項９】
上記一の基地局では、上記ＡＤ変換した中間周波数信号について、上記局部発振ステップにおいて発振させた上記局部発振信号を分周又は逓倍した周波数信号とし、これをクロック信号として、電気−光変換する電光変換ステップを更に有し、
上記他の基地局では、上記周波数抽出ステップにおいて抽出した周波数をデジタル信号処理ステップにおける分周率又は逓倍率に対応させて分周又は逓倍させ、これをクロック信号として、上記光分岐ステップにおいて分岐させた他方の光信号を光−電気変換する光電変換ステップを更に有すること
を特徴とする請求項６〜８記載のうち何れか１項記載の無線通信方法。
【請求項１０】
上記一の基地局機能を人工衛星もしくは航空機に搭載させて実行すること
を特徴とする請求項６〜９記載のうち何れか１項記載の無線通信方法。
【発明の詳細な説明】
【技術分野】
【０００１】
本発明は、光通信ネットワークに接続された複数の無線中継局間で無線信号の送受信を実行する無線通信システム及び方法に関する。
【背景技術】
【０００２】
所望のエリアにおいて使用されており、または観測されたマイクロ波やミリ波の電磁波環境を直接デジタルパケット化し、広帯域光空間通信リンクに閉じ込めて遠隔地へ転送する、電磁波環境転送技術提案されている。この電磁波環境転送技術を応用することにより、有人宇宙における基地内向けの電波サービスを複数基地に柔軟かつ低コストに展開することが可能となる。
【０００３】
例えば、特許文献１には、地球上の各観測領域において電磁波がどのように放射されているかの解析を、人工衛星内部で実施することなく検出信号を地球上へと光通信リンクで送信することで実現する宇宙通信システムが提案されている。この宇宙通信システムでは、不要な電波を宇宙空間に放射することなく、低コストかつ迅速に無線にて敷設できる他、宇宙空間での電磁波の高感度検出等の電波天文への応用が可能である。
【０００４】
また衛星が搭載するアレイアンテナへの給電方法として同技術を適用し、衛星−地上間の通信リンクには光空間通信リンクを用いるGround Based Beam Forming(GBBF)通信システムも提案されている。このGBBFシステムでは、地上に対する高柔軟な電波源モニタシステムを高効率に実現できる。
【０００５】
ところで、このような人工衛星を用いたGBBF通信システム１０１は、例えば図６に示すように、人工衛星２０２との間で光空間通信が可能な基地局１１２ｃと、制御局５４と、基地局１１２ｃと制御局５４を光ファイバ１１４を介して連結される複数のスイッチ１１３とを備えている。スイッチ１１３並びに光ファイバ１１４により構成されるネットワークを、以下光通信ネットワーク１１９という。ちなみに、この光通信ネットワーク１１９は光ファイバ１１４を介して連結されている代わりに、例えば、光空間通信リンク（Free space optical link）で連結されていてもよい。
【０００６】
このような構成からなるGBBF通信システム１０１によれば、先ず人工衛星２０２が複数のアンテナ素子にて地球上のある領域から検出した電磁波を適切に周波数変換した後に、アナログ波形をＡＤ変換して電気デジタル信号へと変換する。更にこれを光デジタル信号に変換した後に基地局１１２ｃへと送信する。すなわちこの送信は、光空間通信リンクを介して実行することを前提としている。
【０００７】
基地局１１２ｃが受信した光デジタル信号を、光通信ネットワーク１１９内の光ファイバ１１４およびスイッチ１１３を介して所望の宛先解析局５４aまで伝送される。解析局５４は、受信した光デジタル信号を電気デジタル信号に変換した後、ＤＡ変換処理を施すことで、衛星が複数アンテナ素子にて取得した電磁波のアナログ信号情報を個別に得ることができる。これを用いて高度信号解析処理を施せば、高速に所望エリアにおける電磁波の内容を解析することができる。
【先行技術文献】
【特許文献】
【０００８】
【特許文献１】特開平１１−２６１４６４号公報
【発明の概要】
【発明が解決しようとする課題】
【０００９】
ところで、上述したGBBF通信システム１０１では、人工衛星２０２からデジタルデー化されて基地局１１２ｃへ送られるもとの電磁波のアナログ波形に関して、振幅、位相、周波数等を初めとした情報の同一性を極力維持したまま、解析局５４にて再現できるようにしなければならない。これらデータの転送精度を向上させるためには、特に衛星２０２と解析局５４間におけるデジタル化した光信号の転送時において、周波数特性の変動を数ヘルツ以内の精度まで抑えこむ必要性があった。
【００１０】
しかしながら、このようなデジタル化したデータの転送において、元の周波数情報をできるだけ劣化させることなく、数ヘルツ以内の精度まで周波数変動を抑えこむのは、一般的に困難であるという問題点があった。
【００１１】
なお、従来においては、転送元の基地局においてタイムスタンプパケットを生成する同期用パケット処理を実施し、これを所望の転送情報と同時に伝送し、受信側の基地局では、この伝送されてきたタイムスタンプ値の誤差情報を使用することにより、使用する発振器の制御と時刻調整を実施する方式が提案されている。しかしながら、かかる従来方式では、既存パケット網を利用した時刻同期を実現できる点において有効であるが、より高精度な同期クロックの再生が困難であり、更にはRF(Radio Frequency)アナログ信号の周波数変換に伴う周波数オフセットの発生を補償することができないという問題点があった。
【００１２】
そこで、本発明は、上述した問題点に鑑みて案出されたものであり、その目的とするところは、通信端末間における無線信号の送受信を光通信ネットワークに接続された複数の基地局を介して実行する無線通信システム及び方法において、特に基地局１１１間におけるデジタル化した光信号の転送時に周波数特性の変動を抑制することにより、元の情報品質を極力同一に維持可能な無線通信システム及び方法を提供することにある。
【課題を解決するための手段】
【００１３】
本発明を適用した無線通信システムは、上述した課題を解決するために、異なる２領域間における無線信号の送受信を光通信ネットワークに接続された複数の基地局を介して実行する無線通信システムにおいて、一の基地局は、局部発振信号を発振する局部発振手段と、一の領域から受信した無線信号を上記局部発振手段により発振された局部発振信号と混合して中間周波数信号を生成するダウンコンバート手段と、上記中間周波数信号をＡＤ変換し、更に電気−光変換することにより生成された光信号に対して、上記局部発振手段により発振された局部発振信号を重畳させ、これを上記光通信ネットワークを介して他の基地局へ送信する重畳手段とを備え、上記他の基地局は、上記光通信ネットワークを介して受信した上記光信号を２つに分岐させる光分岐手段と、上記光分岐手段により分岐された一方の光信号から、上記重畳された局部発振信号の周波数を抽出する周波数抽出手段と、上記光分岐手段により分岐された他方の光信号を光−電気変換し、さらにＤＡ変換することにより生成された電気信号に対して上記周波数抽出手段により抽出された周波数の信号を混合するアップコンバート手段と、上記アップコンバート手段の出力信号を送信可能な電力まで増幅して他の領域へ無線送信する送信出力手段とを備えることを特徴とする。
【００１４】
また、本発明を適用した無線通信方法は、上述した課題を解決するために、異なる２領域間における無線信号の送受信を光通信ネットワークに接続された複数の基地局を介して実行する無線通信方法において、一の基地局では、局部発振信号を発振する局部発振ステップと、一の領域から受信した無線信号を上記局部発振ステップにおいて発振させた局部発振信号と混合して中間周波数信号を生成するダウンコンバートステップと、上記中間周波数信号をＡＤ変換し、更に電気−光変換することにより生成された光信号に対して、上記局部発振ステップにおいて発振させた局部発振信号を重畳させ、これを上記光通信ネットワークを介して他の基地局へ送信する重畳ステップとを有し、上記他の基地局では、上記光通信ネットワークを介して受信した上記光信号を２つに分岐させる光分岐ステップと、上記光分岐ステップにおいて分岐させた一方の光信号から、上記重畳された局部発振信号の周波数を抽出する周波数抽出ステップと、上記光分岐ステップにおいて分岐させた他方の光信号を光−電気変換し、さらにＤＡ変換することにより生成した電気信号に対して上記周波数抽出ステップにおいて抽出した周波数の信号を混合して出力信号を得るアップコンバートステップと、上記アップコンバートステップより得られた出力信号を送信可能な電力まで増幅して他の領域へ無線送信する送信出力ステップとを有することを特徴とする。
【発明の効果】
【００１５】
上述した構成からなる本発明によれば、一の基地局が他の基地局へ伝送しようとする電波の情報について、ダウンコンバート処理で使用する居部発振信号が周波数変動を受けた場合でも、他の基地局では同様の周波数変動を生じた基準局部発振信号を再生し、これを使用してもとの電波情報を再生するため、周波数変動の影響をキャンセルすることが可能となる。このため、他の基地局における各処理（アップコンバート、ＤＡ変換、デジタル信号処理、光−電気変換）について独立して発生させたクロック信号を用いる場合と比較して、処理対象の信号と同様の周波数変動を受けている局部発振信号を共通の基準として使用することにより、一の基地局がアンテナで受信した電波のアナログ波形情報、即ち、振幅、位相、周波数等を初めとした情報の同一性を極力維持したまま、他の基地局へ光通信ネットワークを介して転送し、再現することが可能となる。そして、本発明によれば特に基地局間におけるデジタル化した光信号の転送時において、周波数特性の変動が生じた場合であっても、これに影響を受けることなくデータの転送精度をより向上させることが可能となる。
【００１６】
また、本発明によれば、一の基地局における各処理（ダウンコンバート、ＡＤ変換、デジタル信号処理、電気−光変換）、並びに他の基地局における各処理（アップコンバート、ＤＡ変換、デジタル信号処理、光−電気変換）について、別々にクロック信号を発生させる場合と比較して、発振器の数を減らすことができ、システム全体のコストを減らすことも可能となる。
【図面の簡単な説明】
【００１７】
【図１】本発明を適用した無線通信システムの構成図である。
【図２】各基地局におけるブロック構成図である。
【図３】各基地局における他のブロック構成図である。
【図４】人工衛星に等差された通信機器との間で無線通信を行う無線通信システムの構成図である。
【図５】本発明を適用した無線通信システムの他の実施の形態について説明するための図である。
【図６】一般的な無線システムの構成について説明するための図である。
【発明を実施するための形態】
【００１８】
以下、本発明を実施するための最良の形態として、無線信号の送受信を光通信ネットワークに接続された複数の基地局を介して実行する無線通信システムについて、図面を参照しながら詳細に説明する。
【００１９】
図１は、本発明を適用した無線通信システム１の構成を示している。この無線通信システム１は、通信端末３ａ、３ｂと、通信端末３ａとの間で無線信号の送受信を行うことにより通信を中継するための基地局４ａと、通信端末３ｂとの間で無線信号の送受信を行うことにより通信を中継するための基地局４ｂと、各基地局４ａ、４ｂに接続される光ファイバ５を介して連結される複数のスイッチ６と、一のスイッチ６に光ファイバ５を介して接続される制御局７とを備えている。スイッチ６並びに光ファイバ５により構成されるネットワークを、以下光通信ネットワーク８という。ちなみに、この光通信ネットワーク８は光ファイバ５を介して連結されている代わりに、例えば、自由空間で光通信を行うFree space optical linkを利用するようにしてもよい。
【００２０】
無線通信システム１では、通信端末３ａを使用するユーザと、通信端末３ｂを使用するユーザとの間で通信を行うことも可能となる。仮に通信端末３ａから、通信端末３ｂへ情報を送信する場合、基地局４ａに対して通信端末３ａから電波が送られてくる。電波を受信した基地局４ａは、受信したアナログ信号をダウンコンバートし、ＡＤ変換、電気−光変換を施し、更に誤り訂正符号化処理、パケット化処理を施して、これを光通信ネットワーク８を介して他の基地局４ｂへと送信する。また、かかるパケットデータを受信した基地局４ｂは、これを光−電気変換し、さらにＤＡ変換した上で、これをアップコンバートし、更にこれを増幅して無線通信により通信端末３ｂへ送信する。これにより通信端末３ｂのユーザは、通信端末３ａから送信されてくる情報を取得することが可能となる。
【００２１】
スイッチ６は、例えばイーサネット（登録商標）プロトコル規格のいわゆるイーサスイッチに準拠したＩＰルータやＬ２／Ｌ３スイッチ、ＡＴＭスイッチ等が現状では一般的だが、将来的には電気段への変換を全く介さない全光処理型のスイッチが有望となる。図１に示す例では、スイッチ６とスイッチ６とが光ファイバ５を介して接続されており、このスイッチ６とスイッチ６とで接続される光通信ネットワーク８をイーサネット（登録商標）として活用している。また、光通信ネットワーク８をイーサネット（登録商標）で構成する場合のみならず、ＩＰネットワークやＡＴＭネットワークで構成するようにしてもよい。
【００２２】
制御局７は、この光通信ネットワーク８において必要とされる制御処理全般と変復調処理、また必要に応じて伝送すべき情報に含まれる電磁波信号の復調と復調データの再フレーム化処理を行う。
【００２３】
通信端末３ａ、３ｂは、基地局４ａ、４ｂとの間でデータを電波により送受信することが可能なデバイスとして構成され、例えばパーソナルコンピュータ（ＰＣ）、携帯情報端末等である。
【００２４】
図２は、基地局４ａ、４ｂのブロック構成を示している。以下の例では、通信端末３ａから、通信端末３ｂへ情報を送信する場合について説明をする。
【００２５】
基地局４ａは、通信端末３ａから電波を受信するためのアンテナ１１と、アンテナ１１に接続されており、受信した電波につき高周波信号処理を施す低雑音増幅器１２と、この低雑音増幅器１２に接続されてなるミキサ回路１３と、生成した基準信号をミキサ回路１３へ供給する局部発振器１４とを備えている。この基地局４ａは、ミキサ回路１３に対して、それぞれフィルタ１５、アナログ−デジタル変換器（ＡＤＣ）１６、デジタル信号処理部１７が順次接続されてなり、更にこのデジタル信号処理部１７には、電気−光変換部１８、光変調器１９が順に接続されている。またこの基地局４ａは、それぞれ局部発振器１４に接続された第１の分周／逓倍器２２、第２の分周／逓倍器２３、第３の分周／逓倍器２４とを備え、この第１の分周／逓倍器２２は、ＡＤＣ１６に、また第２の分周／逓倍器２３は、デジタル信号処理部１７に、また第３の分周／逓倍器２４は、電気−光変換部１８へと接続されている。
【００２６】
アンテナ１１は、通信端末３ａから送信されてきた電波を受信し、これを低雑音増幅器１２へと出力する。
【００２７】
低雑音増幅器１２は、アンテナ１１により受信された信号について低雑音増幅する。この低雑音増幅器１２による増幅によりノイズの影響を除去した信号を取り出すことが可能となる。この低雑音増幅器１２により低雑音増幅された信号は、接続されたミキサ回路１３に供給されることになる。
【００２８】
局部発振器１４は、図示しない周波数制御部による制御の下、ベースバンドの基準信号としての局部発振信号を発振する。この局部発振器１４は、生成した局部発振信号をミキサ回路１３へ出力するとともに、更に接続されたた第１の分周／逓倍器２２、第２の分周／逓倍器２３、第３の分周／逓倍器２４へとそれぞれ出力する。さらに、この局部発信器１４は、生成した局部発振信号を光変調器１９へと供給する。
【００２９】
第１の分周／逓倍器２２、第２の分周／逓倍器２３、第３の分周／逓倍器２４は、それぞれ局部発振器１４から出力されてくる局部発振信号について、分周又は逓倍する。このとき、第１の分周／逓倍器２２、第２の分周／逓倍器２３、第３の分周／逓倍器２４間において必ずしも同一の分周率、又は逓倍率とする必要は無く、互いに異ならせてもよい。以下の例では、第１の分周／逓倍器２２は１／Ｎの分周率又はＮ倍の逓倍率で、また第２の分周／逓倍器２３は１／Ｍの分周率又はＭ倍の逓倍率で、更に第３の分周／逓倍器２４は１／Ｌの分周率又はＬ倍の逓倍率で、分周又は逓倍を行うものとする。
【００３０】
ミキサ回路１３は、低雑音増幅器１２から送信されてきた信号につき、局部発振器１４より出力されてきた局部発振信号と混合して中間周波数信号を生成することにより、いわゆるダウンコンバートを行う。このミキサ回路１３により生成された中間周波数信号は、フィルタ１５へ供給される。
【００３１】
フィルタ１５は、ミキサ回路１３から供給された中間周波数信号を通過させるための帯域フィルタ或いは低域フィルタとして構成される。このフィルタ１５を仮に低域フィルタとして構成した場合には、中間周波数信号について、高周波成分を除去するとともに、低周波成分のみを通過させた低域信号とし、これをＡＤＣ１６へと出力する。
【００３２】
ＡＤＣ１６は、フィルタ１５から送出されてきたアナログベースバンドの信号をサンプリングしてデジタル信号化し、このデジタル化された信号をデジタル信号処理部１７へと出力する。このときＡＤＣ１６は、入力されてくる信号に対して所望の転送信号帯域の２倍以上のサンプリング周波数によりサンプリングし、更に量子化を行う。このときＡＤＣ１６は、第１の分周／逓倍器２２により１／Ｎの分周率で分周され、又はＮ倍の逓倍率で逓倍された周波数信号をサンプリング時におけるクロック信号として、中間周波数信号をＡＤ変換する。ＡＤＣ１６は、その供給されてくるクロック信号のクロックタイミングで入力アナログ波形をサンプリングして更に量子化することでデジタルデータを得ることが可能となる。
【００３３】
デジタル信号処理部１７は、ＡＤＣ１６から供給されてくるデジタル化された中間周波数信号について、誤り訂正符号化処理及び／又はデジタルデータのパケット化処理を行う。このとき、デジタル信号処理部１７は、第２の分周／逓倍器２３により１／Ｍの分周率で分周され、又はＭ倍の逓倍率で逓倍された周波数信号をクロック信号として誤り訂正符号化処理及び／又はパケット化処理を行うようにしてもよい。このデジタル信号処理部１７は、この供給されるクロック信号のタイミングで処理ステップが実行される。デジタル信号処理部１７は、これらの処理を行った後、中間周波数信号を電気−光変換部１８へと出力する。
【００３４】
電気−光変換部１８は、デジタル信号処理部１７から送られてくる信号を電気−光変換して光信号に変換するための素子で構成される。この電気−光変換部１８は、供給される電気信号を光信号に変換する、いわゆるレーザダイオード（ＬＤ）等で構成されていてもよい。この電気−光変換部１８では、この第３の分周／逓倍器２４により１／Ｌの分周率で分周され、又はＬ倍の逓倍率で逓倍された周波数信号をクロック信号として電気信号を光信号に変換し、これを光変調器１９へと出力する。
【００３５】
光変調器１９は、電気−光変換部１８により電気−光変換することにより生成された光信号に対して、局部発振器１４から供給されてくる局部発振信号を重畳させる。この光変調器１９は、例えば導波路に伝播させた光信号を、印加されてくる局部発振信号に基づいて強度変調を施すデバイスで構成されており、例えば、ＬｉＮＯ３（リチウムナイオベート）材料からなる導波路型外部光変調器や電界吸収型外部光変調器等で構成されている。その結果、この光変調器１９により、局部発振信号に関する情報を含めることが可能となる。光変調器１９は、この変調した光信号を光通信ネットワーク８を介して他の基地局４ｂへ送信する。
【００３６】
基地局４ｂは、光通信ネットワーク８を介して基地局４ａから送信されてくる光信号を２つに分岐させる光分岐部３０と、この光分岐部３０にそれぞれ接続されている第１の光電変換部３１並びに第２の光電変換部３８と、第１の光電変換部３１に接続されたデジタル信号処理部３２と、デジタル信号処理部３２に接続されているデジタル−アナログ変換器（ＤＡＣ）３３と、ＤＡＣ３３に接続されているフィルタ３４と、フィルタ３４に接続されているミキサ回路３５と、ミキサ回路３５の出力信号を送信可能な電力まで増幅する増幅器３６と、通信端末３ｂとの間で電波を送受信するためのアンテナ３７とを備えている。また、この基地局４ｂは、第２の光電変換部３８に接続された狭帯域フィルタ３９と、この狭帯域フィルタ３９に接続された増幅器４０を備え、増幅器４０の出力端は、第４の分周／逓倍器４１、第５の分周／逓倍器４２、第６の分周／逓倍器４３、ミキサ回路３５に接続され、第４の分周／逓倍器４１は、ＤＡＣ３３に、第５の分周／逓倍器４２は、デジタル信号処理部３２に、更に第６の分周／逓倍器４３は、第１の光電変換部３１にそれぞれ接続されている。
【００３７】
光分岐部３０は、例えば3ｄＢ光カップラ等で構成されていてもよい。光分岐部３０により分岐された一部の光信号は、第１の光電変換部３１に、また他の一部の光信号は、第２の光電変換部３８に供給される。
【００３８】
第１の光電変換部３１並びに第２の光電変換部３８は、光分岐部３０から送信されてくる信号を光−電気変換して電気信号に変換するための素子で構成される。この第１の光電変換部３１並びに第２の光電変換部３８は、例えばホトダイオード等で構成されていてもよい。
【００３９】
第２の光電変換部３８は、この光電変換した電気信号を狭帯域フィルタ３９に供給する。狭帯域フィルタ３９は、この供給されてくる電気信号のうち、ちょうど局部発振器１４から発振される局部発振信号に見合う狭帯域の成分のみを通過させるフィルタである。増幅器４０は、この狭帯域フィルタ３９を通過した電気信号について増幅を行い、これらをミキサ回路３５、第４の分周／逓倍器４１、第５の分周／逓倍器４２、第６の分周／逓倍器４３へそれぞれ供給する。
【００４０】
第４の分周／逓倍器４１、第５の分周／逓倍器４２、第６の分周／逓倍器４３は、それぞれ狭帯域フィルタ３９から供給されてくる信号成分について、分周又は逓倍する。
【００４１】
但し、第４の分周／逓倍器４１は、第１の分周／逓倍器２２における分周率又は逓倍率に対応させて分周又は逓倍させる。具体的には、第１の分周／逓倍器２２において１／Ｎの分周率であった場合には、この第４の分周／逓倍器４１においても同様に１／Ｎの分周率とする。第１の分周／逓倍器２２においてＮ倍の逓倍率であった場合には、この第４の分周／逓倍器４１においても同様にＮ倍の逓倍率とする。
【００４２】
同様に第５の分周／逓倍器４２は、第２の分周／逓倍器２３における分周率又は逓倍率に対応させて分周又は逓倍させる。具体的には、第２の分周／逓倍器２３において１／Ｍの分周率であった場合には、この第５の分周／逓倍器４２においても同様に１／Ｍの分周率とする。第２の分周／逓倍器２３においてＭ倍の逓倍率であった場合には、この第５の分周／逓倍器４２においても同様にＭ倍の逓倍率とする。
【００４３】
同様に第６の分周／逓倍器４３は、第３の分周／逓倍器２４における分周率又は逓倍率に対応させて分周又は逓倍させる。具体的には、第３の分周／逓倍器２４において１／Ｌの分周率であった場合には、この第６の分周／逓倍器４３においても同様に１／Ｌの分周率とする。第３の分周／逓倍器２４においてＬ倍の逓倍率であった場合には、この第６の分周／逓倍器４３においても同様にＬ倍の逓倍率とする。
【００４４】
第１の光電変換部３１は、光電変換する際において、第６の分周／逓倍器２４により１／Ｌの分周率で分周され、又はＬ倍の逓倍率で逓倍された周波数信号をクロック信号として光信号を電気信号に変換する。そして、この第１の光電変換部３１は、この光電変換した電気信号をデジタル信号処理部３２へと出力する。
【００４５】
デジタル信号処理部３２は、第１の光電変換部３１から供給されてくる電気信号について、パケット化されている状態にあるパケットデータから実データ部に記述されている情報を抽出するとともに、誤り訂正復号化処理を施す。このとき、デジタル信号処理部３２は、第５の分周／逓倍器４２により１／Ｍの分周率で分周され、又はＭ倍の逓倍率で逓倍された周波数信号をクロック信号として誤り訂正復号化処理及び／又はパケットの実データから情報データを抽出する処理を行う。これらの処理を行った後、デジタル信号処理部３２は、抽出した情報データに基づくデジタル信号をＤＡＣ３３へと出力する。
【００４６】
ＤＡＣ３３は、デジタル信号処理部３２から出力されてくるデジタル信号についてアナログ信号化する。このアナログ化する際におけるサンプリングレートを、上述した第４の分周／逓倍器４３による１／Ｎの分周率で分周され、又はＮ倍の逓倍率で逓倍された周波数信号をクロック信号として行う。
【００４７】
フィルタ３４は、ＤＡＣ３３から出力される信号を通過させるための帯域フィルタ或いは低域フィルタとして構成される。このフィルタ３４の構成は、上述したフィルタ１５と同様の構成であるため、以下での説明を省略する。フィルタ３４から出力された信号は、いわゆる中間周波数信号のままであるが、これをミキサ３５へと供給する。
【００４８】
ミキサ回路３５は、フィルタ３４から送信されてきた中間周波数信号につき、増幅器４０から出力されてきた信号と混合してアップコンバートする。このミキサ回路３５により生成された信号は、増幅器３６を介してアンテナ３７へと送られ、アンテナ３７は、送られてきた信号を電波として通信端末３ｂへと送信する。
【００４９】
次に、上述した構成からなる無線通信システム１の動作について説明をする。先ず通信端末３ａから送信されてきた電波をアンテナ１１を介して受信する。基地局４ａは、この受信した電波を低雑音増幅器１２により低雑音増幅し、ミキサ回路１３へと出力する。この間、局部発振器１４により局部発振信号を発振し、これはミキサ回路１３に加えて、第１の分周／逓倍器２２、第２の分周／逓倍器２３、第３の分周／逓倍器２４、光変調器１９へとそれぞれ出力されることになる。
【００５０】
ミキサ回路１３に送られてきた信号は、先ずこの局部発振信号と混合されて中間周波数信号へとダウンコンバートされる。この中間周波数信号は、フィルタ１５を通過することにより低域信号とされて、ＡＤＣ１６においてデジタル信号化される。このとき、ＡＤＣ１６において第１の分周／逓倍器２２により１／Ｎの分周率で分周され、又はＮ倍の逓倍率で逓倍された周波数信号をクロック信号としてデジタル信号化されることになる。
【００５１】
そして、このデジタル信号は、デジタル信号処理部１７に送られて、誤り訂正符号化処理及び／又はデジタルデータのパケット化処理が行われる。これらの処理も、第２の分周／逓倍器２３から供給されてくる、局部発振信号を１／Ｍの分周率で分周させ、又はＭ倍の逓倍率で逓倍させたクロック信号を用いる。このデジタル信号処理部１７から出力されるデジタル信号波形を図２における波形Ａとして示す。１と０からなるデジタル信号波形が構成されていることが分かる。
【００５２】
このデジタル信号は更に電気−光変換部１８へと送られ、第３の分周／逓倍器２４により１／Ｌの分周率で分周され、又はＬ倍の逓倍率で逓倍された周波数信号をクロック信号として光信号に変換される。この光信号は、波形Ｂとして示されるものであるが、波形Ａと同一形状で構成される。この光信号は、光変調器１９において局部発振器１４から供給されてくる局部発振信号に基づいて強度変調が施され、当該局部発振信号成分が重畳されることになる。その結果、この光変調器１９から出力される光信号の波形Ｃは、この局部発振信号成分が重畳された状態が示されている。
【００５３】
この波形Ｃの状態で光信号が光通信ネットワーク８を介して基地局４ｂへと送信され、この基地局４ｂにおける光分岐部３０において２つに分離されて、一部は、第１の光電変換部３１に、また他の一部は第２の光電変換部３８へと出力される。第２の光電変換部３８では、光電変換された後に、狭帯域フィルタ３９において狭帯域化される。このステップを通じて、局部発振器１４から出力され、光信号に重畳された局部発振信号の成分を取り出すことが可能となる。そして、この増幅器４０により増幅された信号が、この基地局４ｂでいうところの局部発振信号として利用されることになる。そして、この局部発振信号がそれぞれ第４の分周／逓倍器４１、第５の分周／逓倍器４２、第６の分周／逓倍器４３に送られる。
【００５４】
ここで第６の分周／逓倍器４３は、第３の分周／逓倍器２４と同一の分周率、逓倍率で分周又は逓倍を行う。その結果、第１の光電変換部３１へ供給されるクロック信号は、電気−光変換部１８へ供給されるクロック信号と全く同一の周波数で構成されることになる。
【００５５】
その理由として、電気−光変換部１８へ供給されるクロック信号は、基地局４ａにおける局部発振器１４から発振される局部発振信号に基づいて第３の分周／逓倍器２４において生成されるものである。当該局部発振信号は、光変調器１９において光信号に重畳され、これを第２の光電変換部３８、狭帯域フィルタ３９を通じて取り出されてこれに基づいて、第３の分周／逓倍器２４と同一の分周率、逓倍率で分周又は逓倍をするため、結果として、第１の光電変換部３１へ供給されるクロック信号は、電気−光変換部１８へ供給されるクロック信号と全く同一の周波数となるためである。
【００５６】
また、この第１の光電変換部３１において光電変換された電気信号は、デジタル信号処理部３２において、上述したようにパケットデータにおける実データ部に記述されている情報が抽出されるとともに、誤り訂正復号化処理が施される。このステップにおいても、第５の分周／逓倍器４２からのクロック信号に基づいて処理が行われるが、この当該クロック信号も上述と同様の理由により、基地局４ａにおけるデジタル信号処理部１７に供給されるクロック信号と同一となる。
【００５７】
また、ＤＡＣ３３に送られてきた電気信号は、第４の分周／逓倍器４２からのクロック信号に基づいてＤＡ変換が行われるが、このクロック信号も上述と同様の理由により、ＡＤＣ１６に供給されるクロック信号と同一となる。
【００５８】
ＤＡＣ３３から出力されたアナログベースの中間周波数信号は、フィルタ３４を通過してミキサ回路３５へと出力される。このミキサ回路において中間周波数信号は、増幅器４０から出力されてきた局部発振信号と混合してアップコンバートされる。この増幅器４０から出力されてきた局部発振信号は、上述した理由により、局部発振器１４から発振された局部発振信号と同一である。
【００５９】
アップコンバートされた信号は、増幅器３６により増幅されてアンテナ３７を介して電波として通信端末３ｂへと送信されることになる。
【００６０】
上述したように、本発明を適用した無線通信システム１によれば、基地局４ａにおいて、局部発振器１４から発振された局部発振信号をミキサ回路１３におけるダウンコンバートに使用するとともに、これを逓倍又は分周したクロック信号をＡＤＣ１６におけるＡＤ変換、デジタル信号処理１７におけるデジタル信号処理、電気−光変換部１８における電気−光変換のクロック信号として使用し、当該局部発振信号を光変調器１９において光信号に重畳して光通信ネットワーク８を介して基地局４ｂへと送信する。この基地局４ｂでは、送信されてきた光信号に重畳されている局部発振信号を取り出し、これを逓倍又は分周したものを第１の光電変換部３１、デジタル信号処理部３２、ＤＡＣ３３における各処理におけるクロック信号として利用し、更にミキサ回路３５におけるアップコンバートのための基準信号として利用する。
【００６１】
このため、基地局４ａ内における各処理（ダウンコンバート、ＡＤ変換、デジタル信号処理、電気−光変換）は何れも局部発振器１４から発振された局部発振信号又はこれを分周又は逓倍した信号を用いることになり、換言すれば、これらの各処理は何れも局部発振器１４から発振された局部発振信号に基づくものとなる。また、当該局部発振信号は、光変調器１９において光信号に重畳して光通信ネットワーク８を介して基地局４ｂへと送信される。このとき、光信号は、この光通信ネットワーク８において、周波数特性が変動してしまう場合もある。仮に周波数特性が変動した場合においても、この送信すべき情報を構成するデジタルデータに加えて、これに重畳された局部発振信号も同様に周波数変動を受ける。
【００６２】
かかる状態の下で、今度は基地局４ｂにおいて、送信されてきた光信号に重畳されている局部発振信号を取り出し、基地局４ａにおける逓倍率、分周率に合わせて分周、逓倍を行い、これをクロック信号として、各処理（アップコンバート、ＤＡ変換、デジタル信号処理、光−電気変換）を行う。このため、光信号が仮に光通信ネットワーク８における伝送時に周波数変動を受けていても、同様の周波数変動を受けた局部発振信号を基準として、これらのクロック信号を生成するため、周波数変動の影響をリセットすることが可能となる。このため、基地局４ｂにおける各処理（アップコンバート、ＤＡ変換、デジタル信号処理、光−電気変換）について独立して発生させたクロック信号を用いる場合と比較して、処理対象の信号と同様の周波数変動を受けている局部発振信号を共通の基準として使用することにより、一の通信端末３ａから発信されたアナログ信号、即ち、振幅、位相、周波数等を初めとした情報の同一性を極力維持したまま、他の通信端末３ｂへ光通信ネットワーク８を介して転送し、再現することが可能となる。そして、本発明によれば特に基地局４ａ、４ｂ間におけるデジタル化した光信号の転送時において、周波数特性の変動が生じた場合であっても、これに影響を受けることなくデータの転送精度をより向上させることが可能となる。また、従来のように、基地局４ａ、４ｂ間の光伝送時における周波数変動を数ヘルツ以内の精度まで抑えこむ必要性も無くなることから、設計に余裕を持たせることができ、またシステム全体が高価になる等の弊害を防止することが可能となる。
【００６３】
また、基地局４ａにおける各処理（ダウンコンバート、ＡＤ変換、デジタル信号処理、電気−光変換、並びに基地局４ｂにおける各処理（アップコンバート、ＤＡ変換、デジタル信号処理、光−電気変換）について、別々にクロック信号を発生させる場合と比較して、発振器の数を減らすことができ、システム全体のコストを減らすことも可能となる。
【００６４】
なお、本発明では、局部発振器１４からの局部発振信号が少なくとも光変調器１９のみに出力されていてもよい。かかる場合には、例えば図３に示すように無線通信システム９９に示すように、局部発振器１４にはミキサ回路１３と光変調器１９のみが接続されている状態となり、ＡＤＣ１６には発振器５１が、デジタル信号処理部１７には発振器５２が、また電気−光変換部１８には発振器５３がそれぞれ接続されている。基地局４ｂについては、増幅器４０の出力端には、ミキサ回路３５のみが接続され、ＤＡＣ３３には発振器５４が、デジタル信号処理部３２には発振器５５が、また光電変換部３１には発振器５６がそれぞれ接続されている。
【００６５】
基地局４ａにおいて、局部発振器１４から出力される局部発振信号は、ミキサ回路１３におけるダウンコンバートのみ利用され、残りは光変調器１９において重畳された後、光通信ネットワーク８を介して基地局４ｂへと送信されるのみである。またＡＤＣ１６は、発振器５１から出力されるクロック信号に基づき、またデジタル信号処理部１７は発振器５２から出力される局部発振信号に基づき、更に電気−光変換部１８は、発振器５３から出力される局部発振信号に基づき、それぞれ上述した処理が独立して実行されることになる。
【００６６】
また、基地局４ｂにおいて、増幅器４０から出力される局部発振信号は、ミキサ回路３５におけるアップコンバートにのみ利用される。またＤＡＣ３３は、発振器５４から出力されるクロック信号に基づき、デジタル信号処理部３は発振器５５から出力されるクロック信号に基づき、また光電変換部３１は発振器５６から出力されるクロック信号に基づき、それぞれ上述した処理が独立して実行されることになる。
【００６７】
この図３に示す無線通信システム９９によれば、無線通信システム１と比較して、発振器５１〜５６の数が増加する分においてコストは高くなるが、光通信ネットワーク８を介した光伝送時において周波数が揺らいだ場合においても、光信号に重畳された局部発振信号に基づいて基地局４ｂにおけるミキサ回路３５によるアップコンバートを行うことができ、少なくともアップコンバート時における周波数の揺らぎの影響を除去することが可能となる。
【００６８】
また、この無線通信システム９９において、発振器５１、５４の代替として、第１の分周／逓倍器２２、第４の分周／逓倍器４１を配設するようにしてもよい。これにより、ＤＡ変換において、光伝送に基づく周波数変動の影響を除去することが可能となる。また、この無線通信システム９９において、発振器５２、５５の代替として、第２の分周／逓倍器２３、第５の分周／逓倍器４２を配設するようにしてもよい。これにより、デジタル信号処理において、光伝送に基づく周波数変動の影響を除去することが可能となる。また、この無線通信システム９９において、発振器５３、５６の代替として、第３の分周／逓倍器２４、第６の分周／逓倍器４３を配設するようにしてもよい。これにより、光電変換処理において、光伝送に基づく周波数変動の影響を除去することが可能となる。
【００６９】
なお、これら発振器５１、５４の代替として、第１の分周／逓倍器２２、第４の分周／逓倍器４１を配設し、更に発振器５２、５５の代替として、第２の分周／逓倍器２３、第５の分周／逓倍器４２を配設するようにしてもよい。
【００７０】
なお、本発明は、通信端末３ａ、が例えばＰＣ等で構成される場合に限定されるものではなく、例えば地球周回軌道を周回する人工衛星に搭載されているものであってもよい。かかる場合には通信端末というよりもむしろその人工衛星に実装される通信機器としての構成となるが、図４は、かかる場合における無線通信システム１００を示したものである。この無線通信システム１００において、上述した無線通信システム１と同一の構成要素、部材に関しては、同一の符号を付すことにより以下での説明を省略する。
【００７１】
人工衛星３ｃは、基地局４ｃとの間で、電波により情報を送受信可能とされている。基地局４ｃは、アンテナ１１が人工衛星３ｃとの間で情報を送受信可能とされている。ちなみに基地局４ｃにおける残りの構成は、基地局４ａと同一である。
【００７２】
この人工衛星３ｃは、地球上の各エリアにおける電磁波環境を観測して、これをデータ化して基地局４ｃへ送信する。基地局４ｃは、これを上述した方法に基づいて、光伝送時の周波数変動が生じても通信品質を劣化させることなく、相手側の基地局４ｂへと送信することが可能となる。
【００７３】
また、図５は、人工衛星４ｄにおいて上述した基地局４ａとしての役割を担わせる例を示している。人工衛星４ｄは、領域Ｘ、Ｗ等からの電波を、ここに図示しない複数のアンテナ素子で構成されるアンテナ１１を介して受信し、上記各アンテナ素子で受信した電波に対して異なる波長を割りあてて、電波情報のデジタル化、伝送路符号化、及びデータパケット化を実施して波長多重にてこれを地球上の基地局４ｂへと光伝送する。この光伝送における光通信ネットワーク８は、Free space optical linkを用いる。
【００７４】
このとき、人工衛星の代替として、航空機に上述した基地局４ａ相当のシステムを搭載するようにしてもよい。このように、本発明を適用した無線通信システムでは、異なる２領域間における無線信号の送受信を光通信ネットワークに接続された複数の基地局を介して実行するものであればいかなる形態で適用されるものであってもよい。この領域は、図５に示すように領域Ｘ、Ｙ等のような地球上のある領域として考えてもよいし、その領域にある通信端末３として考えてもよいことは勿論である。
【符号の説明】
【００７５】
１  無線通信システム
３  通信端末
４  基地局
５  光ファイバ
６  スイッチ
７  制御局
８  光通信ネットワーク
１１  アンテナ
１２  低雑音増幅器
１３  ミキサ回路
１４  局部発振器
１５  フィルタ
１６  ＡＤＣ
１７  デジタル信号処理部
１８  電気−光変換部
１９  光変調器
２２  第１の分周／逓倍器
２３  第２の分周／逓倍器
２４  第３の分周／逓倍器
３０  光分岐部
３１  第１の光電変換部
３８  第２の光電変換部
３２  デジタル信号処理部
３３  ＤＡＣ
３４  フィルタ
３５  ミキサ回路
３６  増幅器
３７  アンテナ
３８  第２の光電変換部
３９  狭帯域フィルタ
４０  増幅器
４１  第４の分周／逓倍器
４２  第５の分周／逓倍器
４３  第６の分周／逓倍器
５１〜５６  発振器
【図１】
2010161674.tif 000003
【図２】
2010161674.tif 000004
【図３】
2010161674.tif 000005
【図４】
2010161674.tif 000006
【図５】
2010161674.tif 000007
【図６】
2010161674.tif 000008